(57)【要約】【課題】表示灯取り付けベースにおける複数の取り付け位置のうちで、表示灯ユニットを取り付ける所望の位置とは異なる位置に、表示灯ユニットを取り付けた場合、上記所望の位置に取り付け直す作業が容易であるようにする。【解決手段】建物に設置した端末機器の位置に対応して表示灯マークが形成された建物の地図が表示されている地図シートと、端末機器の状態に対応して、地図シートの表示灯マークを照明するための表示灯ユニットと、地図シートと表示灯ユニットとの間に設けられ、筐体に固定されている表示灯取付ベースと、表示灯取付ベースに設けられている透孔であって、表示灯ユニットからの光が地図シートの表示灯マークに到達する経路である複数の透孔と、複数の透孔のそれぞれに対応して、表示灯取付ベースに設けられている被取付部と、表示灯ユニットに設けられ、表示灯取付ベースの被取付部と嵌合する取付部とを有する。【選択図】図１
2008083161.tif 000002
【特許請求の範囲】
【請求項１】
建物に設置した端末機器の位置に対応して表示灯マークが形成された建物の地図が表示されている地図シートと；
上記端末機器の状態に対応して、上記地図シートの表示灯マークを照明するための表示灯ユニットと；
上記地図シートと上記表示灯ユニットとの間に設けられ、筐体に固定されている表示灯取付ベースと；
上記表示灯取付ベースに設けられている透孔であって、上記表示灯ユニットからの光が上記地図シートの表示灯マークに到達する経路である複数の透孔と；
上記複数の透孔のそれぞれに対応して、上記表示灯取付ベースに設けられている被取付部と；
上記表示灯ユニットに設けられ、上記表示灯取付ベースの上記被取付部と嵌合する取付部と；
を有することを特徴とする地図式表示盤。
【請求項２】
請求項１において、
上記被取付部は、上記表示灯取付ベースの背面側に植設されていることを特徴とする地図式表示盤。
【請求項３】
請求項１において、
上記取付部の前端部が当接する段部が、上記表示灯取付ベースの被取付部に設けられているか、または、上記被取付部の後端部が当接する段部が、上記表示灯ユニットの取付部に設けられていることを特徴とする地図式表示盤。
【請求項４】
請求項１において、
上記被取付部と上記取付部とによって形成される係合機構を有することを特徴とする地図式表示盤。
【請求項５】
請求項１において、
上記表示灯取付ベースに爪が設けられ、上記爪が上記筐体の突起と係合していることを特徴とする地図式表示盤。
【請求項６】
請求項１において、
上記表示灯取付ベースと、上記地図シートと、上記地図シートを保護する保護板とが、上記筐体の前面側から取付けられていることを特徴とする地図式表示盤。
【発明の詳細な説明】
【技術分野】
【０００１】
本発明は、地図式表示盤に関する。
【背景技術】
【０００２】
従来、地図式警報表示盤が知られている（たとえば、特許文献１参照）。
【０００３】
この従来例は、建物の地図が表示されている表示パネルと、この表示パネルの背方に間隔をあけて配置し、表示パネル側の面に、多数本の円柱形の支柱を、縦横整列状態に植設した固定板が設けられ、さらに、多数本の支柱のいずれかの複数本に、取付部が内接また外接固定され、地図上の特定の個所（表示灯マークの表示個所）において、表示パネルを背面から照明する表示灯ブロックが設けられている。
【０００４】
上記従来例において、扉の開口が表示パネルで塞がれ、この背方に表示灯ブロックが配置されている固定板を配置し、これらが、開口の周縁部において、ねじで固定されている。
【特許文献１】実公平２−１５１８５号公報
【発明の開示】
【発明が解決しようとする課題】
【０００５】
上記従来例において、表示灯ブロックが、固定板の表示パネル側に固定されているので、固定板に対する表示灯ブロックの取付位置を変更する場合、すなわち、表示灯マークの位置に合わせて変更する場合、ねじを取り外し、固定板を扉から取り外す必要がある。
【０００６】
したがって、上記従来例では、表示灯ブロックの取付位置を変更する作業が煩雑であるという問題がある。
【０００７】
つまり、上記従来例では、表示灯取付ベース（固定板）における複数の取り付け位置のうちで、表示灯ユニット（表示灯ブロック）を取り付ける所望の位置とは異なる位置に、表示灯ユニットを取り付けた場合、ねじを外し、表示灯取付ベースを扉から取り外し、その後に、表示灯ユニットを取り外してから取り付け直すので、表示灯ユニットを所望の位置に取り付け直す作業が煩雑であるという問題がある。
【０００８】
また、上記従来例では、固定板および表示パネルを、扉に対して上記ねじで固定するときに、扉を開けた状態で、背面側から、固定板に対する表示パネルの位置を移動し、一方では、固定板に対する表示パネルの位置を、前面側から目視で確認する。
【０００９】
上記のように、表示パネルの表示灯マークの位置と、表示灯ブロックの表示灯の位置との間で、位置合わせをする場合、背面側で、表示灯ブロック等を移動しつつ、前面側で、相対位置を目視するので、取付作業が煩雑であるという問題がある。
【００１０】
本発明は、表示灯取付ベースにおける複数の取り付け位置のうちで、表示灯ユニットを取り付ける所望の位置とは異なる位置に、表示灯ユニットを取り付けた場合、上記所望の位置に取り付け直す作業が容易である地図式表示盤を提供することを目的とするものである。
【課題を解決するための手段】
【００１１】
本発明は、建物に設置した端末機器の位置に対応して表示灯マークが形成された建物の地図が表示されている地図シートと、上記端末機器の状態に対応して、上記地図シートの表示灯マークを照明するための表示灯ユニットと、上記地図シートと上記表示灯ユニットとの間に設けられ、筐体に固定されている表示灯取付ベースと、上記表示灯取付ベースに設けられている透孔であって、上記表示灯ユニットからの光が上記地図シートの表示灯マークに到達する経路である複数の透孔と、上記複数の透孔のそれぞれに対応して、上記表示灯取付ベースに設けられている被取付部と、上記表示灯ユニットに設けられ、上記表示灯取付ベースの上記被取付部と嵌合する取付部とを有することを特徴とする地図式表示盤である。
【発明の効果】
【００１２】
本発明によれば、表示灯取付ベースにおける複数の取り付け位置（複数の被取付部）のうちで、表示灯ユニットを取り付ける所望の位置とは異なる位置に、すなわち、地図シートの表示灯マークに相対していない位置に、表示灯ユニットを取り付けた場合、表示灯ユニットを表示灯取付ベースから取り外し、所望の位置に取り付ければよいので、表示灯ユニットの取り付け直し作業が容易であるという効果を奏する。
【発明を実施するための最良の形態】
【００１３】
発明を実施するための最良の形態は、以下の実施例である。
【実施例１】
【００１４】
図１は、本発明の実施例１である地図式表示盤１００を示す断面図である。
【００１５】
地図式表示盤１００は、地図シート１０と、表示灯取付ベースＢ１と、表示灯ユニットＵ１と、保護板４０と、ねじ５０と、インサートビス５１とを有する。
【００１６】
地図シート１０は、建物の地図が表示されているシートであり、穴１１を有する。この建物の地図には、実際に建物に設置されている端末機器（たとえば、火災感知器）の位置に対応して、透明または半透明の表示灯マークｍ（図５）が形成されている。
【００１７】
表示灯ユニットＵ１は、端末機器の状態に対応して、上記地図シート１０の表示灯マークｍを照明する（点灯消灯を行う）ものであって、ＬＥＤ３０と、取付部３１と、前端部３２と、プリント基板３０１と、ハーネス線３０２とを有する。
【００１８】
表示灯取付ベースＢ１は、地図シート１０の背面側に設けられ、また、背面側に表示灯ユニットＵ１が設けられる。すなわち、上記地図シート１０と上記表示灯ユニットＵ１との間に設けられ、筐体Ｃ１（図４参照）に固定されている。上記表示灯取付ベースＢ１は、透孔２１と、被取付部２２と、段部２３と、後端部２４とを有する。
【００１９】
透孔２１は、表示灯取付ベースＢ１に形成され、表示灯ユニットＵ１からの光が地図シート１０の表示灯マークｍに到達する経路であり、複数、設けられている。
【００２０】
被取付部２２は、複数の透孔２１のそれぞれに対応して、表示灯取付ベースＢ１に形成されている。被取付部２２は、表示灯取付ベースＢ１の背面側に植設され、取付部３１と充分な嵌合長をとって、良好な固定状態を維持できるようになっている。
【００２１】
取付部３１は、表示灯ユニットＵ１に設けられ、表示灯取付ベースＢ１の被取付部２２が圧入され嵌合する。
【００２２】
保護板４０は、アクリル板等の透明の部材であり、地図シート１０の前面側に取り付けられ、地図シート１０を保護する。
【００２３】
つまり、表示灯ユニットＵ１は、取付部３１が被取付部２２を包み込むように、被取付部２２の外に取付部３１が嵌合する外接タイプの表示灯ユニットＵ１である。
【００２４】
また、取付部３１の前端部３２が当接する段部２３が、表示灯取付ベースB1の被取付部２２の外周に設けられている。段部２３によって、表示灯取付ベースＢ１に対する表示灯ユニットＵ１の固定位置が規定されるので、各表示灯ユニットＵ１からの光は、地図シート１０の表示灯マークｍを一定の輝度で照射することができる。
【００２５】
図２は、地図式表示盤１００を構成する表示灯取付ベースＢ１の一部分と表示灯ユニットＵ１とを示す斜視図である。
【００２６】
表示灯取付ベースＢ１に、被取付部２２が、縦横に整列して配置されている。被取付部２２は、その形状が円筒状であり、被取付部２２が、平板に多数、植設されている。
【００２７】
図３は、表示灯ユニットＵ１を示す図である。
【００２８】
図３（１）は、表示ユニットＵ１の斜視図である。図３（２）は、表示ユニットＵ１の断面図である。図３（３）、（４）は、図３（２）を上から見た平面図、下から見た底面図である。
【００２９】
表示ユニットＵ１は、有底円筒状の取付部３１と、取付部３１の前端部３２と、ＬＥＤ３０と、プリント基板３０１と、ハーネス線３０２と、コネクタ３０３（図３（５）参照）とを有する。なお、ＬＥＤ３０を透明または半透明のシリコン樹脂で覆うようにしてもよい。
【００３０】
図３（５）は、表示ユニットＵ１の取付部３１を除去した正面図である。図３（６）は、図３（５）を上から見た平面図である。
【００３１】
コネクタ３０３は、表示ユニットＵ１のハーネス線３０２の先端に設けられている。
【００３２】
図４は、地図式表示盤１００と、これを固定している筐体Ｃ１とを示す断面図である。
【００３３】
なお、図４において、被取付部２２を省略して示してある。
【００３４】
表示灯取付ベースＢ１は、図４中、中央右方向に、凹部２５が設けられ、この凹部２５に、地図シート１０、保護板４０が収納され、ねじ５０によって、地図シート１０、保護板４０が表示灯取付ベースＢ１に固定されている。これら地図シート１０、保護板４０を取り付けた後には、これらが、表示灯取付ベースＢ１から飛び出ていない。
【００３５】
また、地図式表示盤１００において、表示灯取付ベースＢ１と、地図シート１０と、保護板４０とは、筐体Ｃ１の前面側から取り付けられており、これによって、地図シート１０の表示灯マークｍの位置と、表示灯ユニットＵ１の位置とを合わせながらの固定作業が容易である。
【００３６】
さらに、表示灯取付ベースＢ１には、爪２０ｎが複数、背面方向に延びるように設けられている。
【００３７】
図５は、筐体Ｃ１に、表示灯取付ベースＢ１、地図シート１０、保護板４０を取り付ける説明図であり、これらを互いに固定する前の分解斜視図である。
【００３８】
また、図５に示すように、筐体Ｃ１の開口部６１の内周に、筐体Ｃ１の背面方向に延びる突起６２が設けられている。この突起６２に、図４に示すように、表示灯取付ベースＢ１の爪２０ｎが係合し、これによって、筐体Ｃ１に、表示灯取付ベースＢ１が前面側から容易に固定することができる。なお、図示では、筐体Ｃ１と突起６２とが同一部材であるが、筐体Ｃ１に突起６２を溶接する等、別部材とすることもできる。
【００３９】
図６は、図５に示す状態から、表示灯取付ベースＢ１を、筐体Ｃ１に嵌め込み、取り付けた状態を示す斜視図である。
【００４０】
地図式表示盤１００を筐体Ｃ１に取り付ける場合、まず、図５に示すように、筐体Ｃ１の扉の開口部６１に、表示灯取付ベースＢ１を、その前面側から挿入し、フック取付によって固定する。つまり、表示灯取付ベースＢ１の爪２０ｎが、筐体Ｃ１の突起６２に係合（図４参照）し、表示灯取付ベースＢ１が筐体Ｃ１に固定される。
【００４１】
そして、地図シート１０のそれぞれの表示灯マークｍ（図５、図６参照）の位置に合わせて、表示灯ユニットＵ１を、表示灯取付ベースＢ１に設けられている複数の被取付部２２のうちのいずれかに圧入して嵌め込み、固定する。
【００４２】
次に、図６に示すように、筐体Ｃ１の前面側から地図シート１０、保護板４０の順で表示灯取付ベースＢ１に重ね、図１に示すように、インサートビス５１を介して、ねじ５０によって取付固定する。このときに、地図シート１０の穴１１の直径が、ねじ５０の直径よりも大きいので、地図シート１０の表示灯マークｍの位置と、表示灯ユニットＵ１の位置との位置合わせを行って固定することができる。
【００４３】
なお、図示とは異なるが、地図シート１０の穴１１の径を、ねじ５０の直径よりも、たとえば数倍程度大きい径のいわゆるバカ穴とすると、表示灯ユニットＵ１との位置決め調整範囲が大きくなる。
【００４４】
そして、表示灯ユニットＵ１のコネクタ３０３を、図示しない表示灯基板に接続し、筐体Ｃ１の扉を閉じれば、取付作業が完了する。
【００４５】
なお、地図シート１０の表示灯マークｍの位置に相対して固定されていない表示灯ユニットＵ１がある場合、その表示灯ユニットＵ１を表示灯取付ベースＵ１から取り外し、相対する所望の表示灯取付ベースＢ１の被取付部２２に取付固定し直す。
【００４６】
このように構成された地図式表示盤１００は、地図シート１０のそれぞれの表示灯マークｍの位置に相対して、表示灯ユニットＵ１が表示灯取付ベースＢ１に固定されるので、実際に建物に設けられた端末機器の状態に対応して、それぞれの端末機器を示す表示灯マークｍが、対応する表示灯ユニットＵ１の点灯消灯制御によって、点灯消灯状態になる。たとえば、端末機器としての火災感知器の場合、通常時は表示灯マークｍが消灯状態であり、火災感知器が火災状態を検出した場合、その火災感知器に対応する表示灯マークｍが、対応する表示灯ユニットＵ１の点灯制御によって、点灯状態になる。
【００４７】
地図式表示盤１００は、表示灯ユニットＵ１が、表示灯取付ベースＢ１の被取付部２２を包み込むように嵌め込む構造であるので、表示灯ユニットＵ１を狭ピッチ化することができる。また、表示灯ユニットＵ１の取付部３１と、表示灯取付ベースＢ１の被取付部２２とが筒状であるので、表示灯ユニットＵ１で発生した光の漏れを防止することができる。
【００４８】
表示灯取付ベースＢ１の被取付部２２の外周には、表示灯ユニットＵ１の取付部３１の嵌め込み長を規制する段部２３が設けられているので、設計位置通りに取付ることができる。これによって、各表示灯ユニットＵ１からの光は、地図シート１０の表示灯マークｍを一定の輝度で照射することができる。
【００４９】
表示灯ユニットＵ１のＬＥＤ３０にシリコン樹脂を充填すれば、光の拡散効果を期待できる。表示灯ユニットＵ１のハーネス線３０２の先端にコネクタ３０３が設けられているので、表示灯ユニットＵ１と、図示しない表示灯基板との接続が容易である。
【００５０】
また、表示灯取付ベースＢ１の円筒状の被取付部２２または表示灯ユニットＵ１の取付部３１に切り込みを入れれば、表示灯ユニットＵ１の嵌め込みが容易であり、この場合、互いが嵌合する範囲内に切り込みの長さを調整すれば、光漏れが生じない。
【実施例２】
【００５１】
図７は、本発明の実施例２である地図式表示盤２００を示す断面図である。
【００５２】
地図式表示盤２００は、地図式表示盤１００の変形例である。地図式表示盤２００は、地図式表示盤１００において、表示灯ユニットＵ１の代わりに、表示灯ユニットＵ２を設け、被取付部２２の後端部２４の外周に、凸部２６が設けられているものである。
【００５３】
表示灯ユニットＵ２は、表示灯ユニットＵ１の取付部３１の内周のＬＥＤ３０寄りに、凹部３６が設けられている。
【００５４】
そして、表示灯ユニットＵ１を被取付部２２に嵌め込む場合、被取付部２２の後端部２４の凸部２６が、表示灯ユニットＵ２の凹部３６と嵌合するので、表示灯ユニットＵ２と被取付部２２とをより強固に固定することができる。つまり、被取付部２２の後端部２４の凸部２６と表示灯ユニットＵ２の凹部３６とによって、係合機構が形成されている。
【００５５】
なお、係合機構として機能するならば、被取付部２２の外周のどの部分に、凸部２６を設けるようにしてもよく、また、表示灯ユニットＵ２の取付部３１の内周のどの部分に凹部３６を設けるようにしてもよい。さらに、凸部２６と凹部３６とを設ける代わりに、被取付部２２の外周に凹部を設け、表示灯ユニットＵ２の取付部の内周に凸部を設けるようにしてもよい。
【実施例３】
【００５６】
図８は、本発明の実施例３である地図式表示盤３００を示す断面図である。
【００５７】
地図式表示盤３００は、地図式表示盤１００の変形例である。地図式表示盤３００は、地図式表示盤１００において、表示ユニットＵ１の代わりに表示ユニットＵ３を設け、被取付部２２の内周に、表示ユニットＵ３の取付部３１の外周が包み込まれるようにして、表示灯ユニットＵ３が表示灯取付ベースＢ３に固定される実施例である。
【００５８】
また、表示灯ユニットＵ３の取付部３１の外周に段部３７が設けられている。つまり、被取付部２２の後端部２４が当接する段部３７が、表示灯ユニットＵ３の取付部３１に設けられている。そして、表示灯ユニットＵ３を表示灯取付ベースＢ３に嵌め込む場合、表示灯ユニットＵ３の段部３７が表示灯取付ベースＢ３の被取付部２２の後端部２４に係止される。
【実施例４】
【００５９】
図９は、本発明の実施例４である地図式表示盤４００を示す断面図である。
【００６０】
地図式表示盤４００は、地図式表示盤３００の変形例である。
【００６１】
地図式表示盤３００において、表示灯ユニットＵ３の代わりに、表示灯ユニットＵ４が設けられている。表示灯ユニットＵ４は、表示灯ユニットＵ３において、取付部３１の前端部３２の外周に、凸部３８が設けられているものである。
【００６２】
表示灯ユニットＵ４を表示灯取付ベースＢ３に嵌め込む場合、表示灯ユニットＵ４の凸部３８が、表示灯取付ベースＢ４の被取付部２２の凹部２７に係止される。
【００６３】
つまり、表示灯取付ベースＢ４の被取付部２２の内周に形成されている凹部２７と、表示灯ユニットＵ４の取付部３１の外周に形成されている凸部３８とによって、係合機構が形成されている。この係合機構によって、表示灯取付ベースＢ４と、表示灯ユニットＵ４とがより強固に固定される。
【００６４】
なお、係合機構として機能するならば、被取付部２２の内周のどの部分に、凹部２７を設けるようにしてもよく、また、表示灯ユニットＵ２の取付部３１の外周のどの部分に凸部３８を設けるようにしてもよい。さらに、凹部２７と凸部３８とを設ける代わりに、被取付部２２の内周に凸部を設け、表示灯ユニットＵ２の取付部の外周に凹部を設けるようにしてもよい。
【実施例５】
【００６５】
図１０は、本発明の実施例５である地図式表示盤５００を示す断面図である。
【００６６】
地図式表示盤５００は、図４に示す表示灯取付ベースＢ１の変形例である。
【００６７】
なお、図１０において、被取付部２２を省略して示してある。
【００６８】
表示灯取付ベースＢ５は、表示灯取付ベースＢ１において、凹部２５が設けられていないものである。したがって、表示灯取付ベースＢ５を筐体Ｃ１に取り付けた場合、筐体Ｃ１の表面から、地図シート１０、保護板４０が飛び出している。
【００６９】
また、上記各実施例において、円筒状の被取付部２２が、平板に多数、植設されているが、このようにする代わりに、円筒を平板に植設せずに、長方形の平板に多数の透孔２１が設けられ、この透孔２１に、表示ユニットＵ３、Ｕ４を挿入するようにしてもよい。
【００７０】
つまり、表示灯取付ベースの被取付部の代わりに、透孔２１の奥行き方向の長さを利用して、表示灯ユニットの取付部と充分な嵌合長をとり、良好な固定状態を維持できるので、被取付部を削除した分だけ、表示灯取付ベースの板厚を薄くすることができ、平板を利用できるので、コスト削減が可能である。
【００７１】
上記各実施例によれば、表示灯ユニットＵ１、Ｕ２、Ｕ３、Ｕ４を、表示灯取付ベースＢ１、Ｂ２、Ｂ３、Ｂ４のそれぞれの背面側から嵌め込み固定し、表示灯取付ベースＢ１、Ｂ２、Ｂ３、Ｂ４に対する表示灯ユニットＵ１、Ｕ２、Ｕ３、Ｕ４のそれぞれの取付位置を容易に変更することができるので、所望の位置に取り付け直す際にも容易に対応することができる。
【００７２】
また、表示灯取付ベースに対する表示灯ユニットの取付位置の設計が容易である。
【図面の簡単な説明】
【００７３】
【図１】本発明の実施例１である地図式表示盤１００を示す断面図である。
【図２】地図式表示盤１００を構成する表示灯取付ベースＢ１の一部分と表示灯ユニットＵ１とを示す斜視図である。
【図３】表示灯ユニットＵ１を示す図である。
【図４】地図式表示盤１００と、これを固定している筐体Ｃ１とを示す断面図である。
【図５】筐体Ｃ１に、表示灯取付ベースＢ１、地図シート１０、保護板４０を取り付ける説明図であり、これらを互いに固定する前の分解斜視図である。
【図６】図５に示す状態から、表示灯取付ベースＢ１を、筐体Ｃ１に嵌め込み、取り付けた状態を示す斜視図である。
【図７】本発明の実施例２である地図式表示盤２００を示す断面図である。
【図８】本発明の実施例３である地図式表示盤３００を示す断面図である。
【図９】本発明の実施例４である地図式表示盤４００を示す断面図である。
【図１０】本発明の実施例５である地図式表示盤５００を示す断面図である。
【符号の説明】
【００７４】
１００…地図式表示盤、
１０…地図シート、
Ｂ１…表示灯取付ベース、
２１…透孔、
２２…被取付部、
２３…段部、
２４…後端部、
２５…凹部、
２０ｎ…爪、  
Ｕ１…表示灯ユニット、
３０…ＬＥＤ、
３１…取付部、
３２…前端部、
３０１…プリント基板、
３０２…ハーネス線、
３０３…コネクタ、
４０…保護板、
５０…ねじ、
２００…地図式表示盤、
２６…凸部、
３６…凹部、
３００…地図式表示盤、
３７…段部、
４００…地図式表示盤、
２７…凹部、
３８…凸部。
【図１】
2008083161.tif 000003
【図２】
2008083161.tif 000004
【図３】
2008083161.tif 000005
【図４】
2008083161.tif 000006
【図５】
2008083161.tif 000007
【図６】
2008083161.tif 000008
【図７】
2008083161.tif 000009
【図８】
2008083161.tif 000010
【図９】
2008083161.tif 000011
【図１０】
2008083161.tif 000012